(57)【要約】【課題】  不必要なファン駆動の為に発生する風切り音を減少させること、及び、電源内部の適切な放熱を達成させること。【解決手段】  演算部３０４は、装置内各部に配設される電力負荷の消費電力量を所定の基準時から経時的に累積加算して累積加算消費電力量を求め、更に、装置内各部に配設される冷却装置の放熱量を前記所定の基準時から経時的に累積加算して累積加算放熱量を求め、積算値記録部３０５は、上記累積加算消費電力量から上記累積加算放熱量を減算し、該減算結果が０になるのを検出し、ファン駆動信号生成部３０６は、積算値記録部３０５が減算結果０を検出すると、上記装置内各部に配設される冷却装置の駆動を停止させる。【選択図】        図３
2008059365.tif 000002
【特許請求の範囲】
【請求項１】
装置内各部に配設される電力負荷の消費電力量を所定の基準時から経時的に累積加算し、累積加算消費電力量を求める消費電力量累積加算手段と、
前記装置内各部に配設される冷却装置の放熱量を前記所定の基準時から経時的に累積加算し、累積加算放熱量を求める放熱量累積加算手段と、
前記累積加算消費電力量から前記累積加算放熱量を減算し、該減算結果が冷却不要判断値になるのを検出する積算値記録手段と、
前記積算値記録手段が冷却不要判断値を検出すると、前記装置内各部に配設される冷却装置の駆動を停止させる冷却駆動信号生成手段とを備えることを特徴とする情報処理装置。
【請求項２】
前記装置内各部に配設される電力負荷の単位時間当たりの消費電力量の算定基準を予め格納する記憶部を更に備え、
前記消費電力量累積加算手段は、前記消費電力量の算定基準に基づいて基準時から経時的に累積加算し、累積加算消費電力量を求めることを特徴とする請求項１に記載の情報処理装置。
【請求項３】
前記装置内各部に配設される冷却装置の単位時間当たりの放熱量の算定基準を予め格納する記憶部を更に備え、
前記放熱量累積加算手段は、前記放熱量の算定基準に基づいて基準時から経時的に累積加算し、累積加算放熱量を求めることを特徴とする請求項１に記載の情報処理装置。
【請求項４】
前記冷却装置は、冷却能力可変であって、所定のタイミングで前記冷却能力を切替えることを特徴する請求項１から請求項３までの何れか１項に記載の情報処理装置。
【請求項５】
前記冷却不要判断値は０であることを特徴とする請求項１に記載の情報処理装置。
【発明の詳細な説明】
【技術分野】
【０００１】
本発明は電源部及び冷却装置を配設する情報処理装置に関するものである。
【背景技術】
【０００２】
従来、この種の装置は、電力変換装置が持つ冷却用ファンの風切り音が騒音となり、周囲環境に公害をもたらしている。下記特許文献１に開示される技術では、電力変換装置が持つ冷却用ファンの風切り音を減少するために、冷却ファンの風量を調整している。かかる調整を実行するために、電力変換装置の出力の大小を検出する電流検出器を持ち、検出された出力電流値に応じて、冷却ファンの風量を調整している。また、電力変換装置の周囲温度を検出する専用のセンサを設け、検出された周囲温度に応じて、冷却ファンの風量を調整している。
【特許文献１】特開平１０−１８５３８４号公報
【発明の開示】
【発明が解決しようとする課題】
【０００３】
しかしながら、上記従来の技術では、電流検出用回路や温度検出専用のセンサを備えるため、装置コストがかかり高価になっていた。本発明では、上記コストアップの要因となる専用のセンサ等を減らしながら冷却ファンの風量を調整し、電源内部の適切な放熱を達成させることを解決すべき課題とする。
【課題を解決するための手段】
【０００４】
本発明による画像処理装置では、装置内各部に配設される電力負荷の消費電力量を所定の基準時から経時的に累積加算し、累積加算消費電力量を求める消費電力量累積加算手段と、上記装置内各部に配設される冷却装置の放熱量を上記所定の基準時から経時的に累積加算し、累積加算放熱量を求める放熱量累積加算手段と、上記累積加算消費電力量から上記累積加算放熱量を減算し、該減算結果が０になるのを検出する積算値記録手段と、上記積算値記録手段が減算結果０を検出すると、上記装置内各部に配設される冷却装置の駆動を停止させる冷却駆動信号生成手段とを備えることを主要な特徴とする。
【発明の効果】
【０００５】
消費電力量累積加算手段が、装置内各部に配設される電力負荷の消費電力量を消費電力量の算定基準に基づいて基準時から経時的に累積加算して累積加算消費電力量を求め、放熱量累積加算手段が、装置内各部に配設される冷却装置の放熱量を放熱量の算定基準に基づいて基準時から経時的に累積加算して累積放熱量を求め、積算値記録手段が上記累積加算消費電力量から上記累積加算放熱量を減算し、該減算結果が冷却判断値になるのを検出すると、冷却駆動信号生成手段が上記装置内各部に配設される冷却装置の駆動を停止させるのでコストアップの要因となる専用のセンサ等を設けずに、不必要なファン駆動の為に発生する風切り音を減少させること、及び、電源内部の適切な放熱を達成させることが可能になるという効果を得る。
【発明を実施するための最良の形態】
【０００６】
本発明による画像処理装置は以下のように構成される。
【実施例１】
【０００７】
図１は、本発明による画像形成装置の構成図である。
この図を用いて、本発明が適用される画像形成装置（一例として電子写真プリンタ）の主要機構部分について説明する。
【０００８】
図に示すように画像形成装置１０１は、印刷媒体１０２を保持する給紙カセット１０３と、印刷媒体１０２を繰り出すホッピングローラ１０４と、印刷媒体１０２を搬送する搬送ベルト１０６と、繰り出された印刷媒体１０２の斜行を強制し、所定のタイミングで印刷媒体１０２を搬送ベルト１０６へ送り出すレジストローラ１０５と、搬送ベルト１０６に対向して順次配置されている画像形成ユニット１０８Ｋ、Ｙ、Ｍ、Ｃを備えている。
【０００９】
画像形成ユニット１０８Ｋ、Ｙ、Ｍ、Ｃは、それぞれＫ（ブラック）、Ｙ（イエロー）、Ｍ（マゼンタ）、Ｃ（シアン）色によって印刷を行う電子式ＬＥＤプリント機構である。画像形成ユニット１０８Ｋ、Ｙ、Ｍ、Ｃには、それぞれ感光ドラム１０９Ｋ、Ｙ、Ｍ、Ｃ、帯電ローラ１１０Ｋ、Ｙ、Ｍ、Ｃ、ＬＥＤヘッド１１１Ｋ、Ｙ、Ｍ、Ｃ、現像ローラ１１２Ｋ、Ｙ、Ｍ、Ｃ、及びクリーニング部１１４Ｋ、Ｙ、Ｍ、Ｃが備えられている。
【００１０】
感光ドラム１０９Ｋ、Ｙ、Ｍ、Ｃは、表面に静電潜像が形成されるドラムである。この静電潜像に基づいてトナー像が形成されることになる。帯電ローラ１１０Ｋ、Ｙ、Ｍ、Ｃは、感光ドラムＫ、Ｙ、Ｍ、Ｃを帯電するローラである。ＬＥＤヘッド１１１Ｋ、Ｙ、Ｍ、Ｃは、帯電された感光ドラム表面を露光して、静電潜像である露光部を生成する部分である。現像ローラ１１２Ｋ、Ｙ、Ｍ、Ｃは、感光ドラム１０９Ｋ、Ｙ、Ｍ、Ｃの露光部にトナーを付着させ、トナー像を形成するローラである。
【００１１】
クリーニング部１１４Ｋ、Ｙ、Ｍ、Ｃは、感光ドラム１０９Ｋ、Ｙ、Ｍ、Ｃ上に転写されずに残ったトナーを回収する部分である。搬送ベルト１０６にはベルト駆動ローラ１０７、転写ローラ１１３Ｋ、Ｙ、Ｍ、Ｃが配設されている。ベルト駆動ローラ１０７で印刷媒体１０２を画像形成ユニット１０８Ｋ、Ｙ、Ｍ、Ｃへ搬送し、転写ローラ１１３Ｋ、Ｙ、Ｍ、Ｃによって感光ドラム１０９Ｋ、Ｙ、Ｍ、Ｃ上に生成された各トナー色のトナー像を印刷媒体１０２へ転写させる。
【００１２】
定着器１１５は印刷媒体１０２を加熱し、トナーを印刷媒体１０２へ融着し、定着を行う定着手段である。定着器１１５はハロゲンランプ１１６を持った定着ローラ１１７及びバックアップローラ１１９を備え、ハロゲンランプ１１６へ投入される電力によって定着ローラ１１７は定着可能温度まで加熱される。トナーが定着された印刷媒体１０２は排出ローラ１１８を介して装置外へ排出される。
【００１３】
図２は、実施例1の制御回路図である。
この図を用いて実施例１の画像形成装置１０１の制御系統について詳細に説明する。
図に示すように本実施例による画像形成装置１０１は、電源部２０２と、制御回路部２０３と、高圧電源２０４とを含んでいる。
【００１４】
交流電力である商用電源２０１と接続される電源部２０２は、交流電力を整流ダイオードブリッジ２１４を介して全波整流する。この出力から、トランス２１２及びパワーＭＯＳＦＥＴ２１９のスイッチングによって、モータ等の電源となる直流電力２４Ｖが生成される。更に、２４Ｖからスイッチングレギュレータ２１１によってＣＰＵ等のロジック部の電源となる直流電力５Ｖが生成される。
【００１５】
また、交流電力はトライアック２１５がオンされることによってハロゲンランプ１１６へ通電される。トライアック２１５は制御回路部２０３が持つエンジン制御部２１０からの駆動信号Ｓ２２８によってフォトトライアック２１３がオンされ、続いてトライアック２１５がオンされる。
【００１６】
制御回路部２０３を構成するエンジン制御部２１０は、５Ｖ電源で動作し、ファンドライバ２１８へ駆動信号Ｓ２２９を、定着モータ２０６へ駆動信号Ｓ２２２を、ベルトモータドライバ２１９へ駆動信号Ｓ２２３を、画像形成ユニットモータ２０８へ駆動信号Ｓ２２４を、ホッピングモータドライバ２２０へ駆動信号Ｓ２２５を、高圧電源２０４の高圧生成部２１７へ駆動信号Ｓ２２６を、ＬＥＤヘッドドライバ２２１へ駆動信号Ｓ２２７を、それぞれ出力する部分である。
【００１７】
ファンドライバ２１８は電源部２０２の電力損失により発熱を強制的に装置外へ廃熱する部分である。この部分は電源ファン２０５に接続される。ファンドライバ２１８の駆動電源は２４Ｖである。定着モータ２０６はドライバを内蔵したブラシレスＤＣモータであり、定着ローラ１１７（図１）及び排出ローラ１１８（図１）をエンジン制御部２１０からの指令に基づいて回転駆動させる部分である。
【００１８】
ベルトモータドライバ２１９はステッピングモータであるベルトモータ２０７に接続され、エンジン制御部２１０からの指令に応じて駆動電流を出力する部分である。ベルトモータ２０７はベルト駆動ローラ１０７（図１）を回転駆動する部分である。画像形成ユニットモータ２０８はドライバを内蔵したブラシレスＤＣモータであり、画像形成ユニット１０８Ｋ、Ｙ、Ｍ、Ｃの各ローラをエンジン制御部２１０からの指令に基づいて回転駆動する部分である。
【００１９】
ホッピングモータドライバ２２０はステッピングモータであるホッピングモータ２０９に接続され、エンジン制御部２１０からの指令に基づいて駆動電流を出力する部分である。そして、ホッピングモータ２０９はホッピングローラ１０４（図１）及びレジストローラ１０５（図１）を回転駆動する。ＬＥＤヘッドドライバ２２１は５Ｖを電源電圧とし、エンジン制御部２１０からの指令に基づいてＬＥＤヘッド１１１Ｋ、Ｙ、Ｍ、Ｃを駆動し、感光ドラム１０９Ｋ、Ｙ、Ｍ、Ｃ上に静電潜像を形成する部分である。
【００２０】
高圧電源２０４は高圧生成部２１７を備える。高圧生成部２１７は２４Ｖを電源電圧とし、エンジン制御部２１０からの指令に基づいて帯電ローラ１１０Ｋ、Ｙ、Ｍ、Ｃ、現像ローラ１１２Ｋ、Ｙ、Ｍ、Ｃ、転写ローラ１１３Ｋ、Ｙ、Ｍ、Ｃ、へ高圧電力を出力する部分である。
【００２１】
図３は、実施例１のエンジン制御部の内部ブロック図である。
この図を用いて、上記エンジン制御部２１０の詳細について再度説明する。
エンジン制御部２１０は、図示しないＲＯＭに予め格納されている制御プログラムを、図示しないＣＰＵが実行することによって、駆動信号生成部３０１と、時間設定部３０２と、演算部３０４と、積算値記録部３０５と、ファン駆動信号生成部３０６とを起動・生成し、画像形成装置１０１の適切な放熱を達成するためのコンピュータ制御手段である。
【００２２】
駆動信号生成部３０１は、上記の各負荷をオンするかオフするかの指令となる負荷駆動信号を出力する部分である。各負荷駆動信号は記憶部３０３と接続されており、記憶部３０３は時間設定部３０２からの予め設定された単位時間、１００ｍｓ間隔（一例）で負荷駆動信号がオンかどうかを判定し、負荷駆動信号がオンであった場合、予め記憶されたテーブルから値を読み出す部分である。このテーブルは３つある。以下にこの３つのテーブルについて説明する。
【００２３】
図４は、実施例１の記憶部のテーブル説明図である。
図に示すように、記憶部３０３（図３）にはテーブルが３つ、予め格納されている。
テーブル（１）は電源部２０２（図２）の交流電力を５Ｖ、２４Ｖ及びハロゲンランプの加熱電力に交換する効率が記憶されている。それぞれ、５０％、７０％、９０％であり、交流電力の平均実効電力と各出力の平均値を測定することにより実験的に求められている。
【００２４】
テーブル２は電源ファン２０５（図２）の単位時間あたりの放熱量を記録しており、実験的に求められた値である。テーブル３は電源部２０２（図２）の電源負荷となる部品の消費電力を記録している。消費電力は電圧（５Ｖ、２４、交流電力）とオンしたときのＤＣは平均電流あるいは交流電力は実効電流の積で実験的に求まる。
【００２５】
図３に戻って、演算部３０４は、記憶部３０３から読み出されたテーブル値及び時間設定部３０２の単位時間１００ｍｓを受入れて、その積をとり単位時間当りの電力損失を求め、積算値記録部３０５に出力する部分である。例えば、画像形成ユニットモータ２０８（図２）の負荷駆動信号がオンとなった場合、記憶部３０３からテーブル１の「交流電力→２４Ｖ」の電力交換効率７０％、テーブル３の「画像形成ユニットモータ２０８」の消費電力１８Ｗが読み出される。そして、演算部３０４は以下の式によって電力損失を演算する。
（１００％−７０％）  ×  １８Ｗ  ×  １００ｍｓ  ＝  ０．１５ｍＷｈ
【００２６】
一方、ファン駆動信号生成部３０６（図３）では電源ファン２０５（図２）をオンするかオフするかの駆動指令となるファン駆動信号Ｓ２２９が出力され、記憶部３０３は時間設定部３０２（図３）からの予め設定された単位時間１００ｍｓ間隔でファン駆動信号がオンかどうかを判定して、負荷駆動信号がオンであった場合、予め記憶された図４に示されたテーブルから値を読み出す。読み出されたテーブル値及び時間設定部３０２（図３）の単位時間１００ｍｓを演算部３０４（図３）に入力し、演算部３０４（図３）はテーブル値と単位時間１００ｍｓの積をとりファンの単位時間当たりの放熱量を求め、積算値記録部３０５（図３）に出力する。
【００２７】
例えば、ファン駆動信号Ｓ２２９がオンとなった場合、記憶部３０３（図３）からはテーブル２の３０Ｗが読み出される。そして、演算部３０４（図３）では以下の式によってファンの放熱量が演算される。
−３０Ｗ  ×  １００ｍｓ  ＝  −０．８３３ｍＷｈ
積算値記録部３０５（図３）では演算部３０４（図３）から入力された電力損失からファンの放熱量を減算して記録しておく。その値が冷却不要判断値である０となった場合、積算値記録部３０５（図３）からファン駆動信号生成部３０６（図３）へファン駆動信号停止指令が出され、それに応じてファン駆動信号生成部３０６（図３）よりファン駆動信号が停止することになる。
【００２８】
以上説明した本実施例による画像形成装置１０１の放熱制御動作について、電源ファン２０５（図２）の停止タイミングチャートに基づいて説明する。
図５は、実施例１の電源ファンの停止タイミングチャートである。
この図は、印刷起動から電源ファン２０５（図２）の停止までの間の各負荷の動作と積算値記録部３０５（図３）の累積電力損失とを示している。
【００２９】
図の縦軸方向に上から順番に、ハロゲンランプ１１６のオン・オフ波形、ホッピングモータドライバ２２０のオン・オフ波形、画像形成ユニットモータ２０８のオン・オフ波形、ベルトモータドライバ２１９のオン・オフ波形、定着モータ２０６のオン・オフ波形、ＬＥＤヘッドドライバ２２１のオン・オフ波形、高圧生成部２１７のオン・オフ波形、ファンドライバ２１８のオン・オフ波形、累積電力損失の大きさ、及び各項目の横軸に共通の時刻（Ｔ）を表している。ここで、全ての波形は、ハイレベルをオンとし、ローレベルをオフとする。
【００３０】
まず、時間Ｔ５０１において印刷起動がかかりハロゲンランプ１１６のプレヒートが始まる。プレヒートによって定着ローラ１１７（図１）が定着可能温度まで暖められる。同時に、プレヒート期間ΔＴ５０５の電力損失が積算値記録部３０５（図３）の累積電力損失が加算されていき、ファンドライバ２１８がオンになり、電源ファン２０５（図２）が駆動される。プレヒート完了後、時間Ｔ５０２においてホッピングモータ２０９（図２）が回転し始め、ΔＴ５０５の期間回転し、印刷媒体１０２の給紙が始まる。
【００３１】
次に、搬送ベルト１０６（図１）を搬送する為に、ベルトモータ２０７（図２）、画像形成ユニットモータ２０８（図２）及び定着モータ２０６（図２）の回転が始まり、それぞれΔＴ５０９、ΔＴ５０８、Δ５１０、の期間回転し、画像形成ユニット１０８Ｋ、Ｙ、Ｍ、Ｃでのトナー像の印刷のために、ＬＥＤヘッド１１１Ｋ、Ｙ、Ｍ、Ｃが各色時間差を持って、それぞれΔＴ５１１〜ΔＴ５１４の期間駆動される。
【００３２】
更に高圧生成部２１７がΔＴ５１５の期間だけ出力されることによって、印刷媒体１０２上にトナー像が転写される。印刷媒体１０２が定着器１１５（図１）に到達するタイミングで定着ローラ１１７の熱が印刷媒体１０２に奪われるために再度ハロゲンランプ１１６をΔＴ５０６の期間通電する。その後、印刷完了まで定着モータ２０６を回転させる。
【００３３】
積算値記録部３０５（図３）では、上記の印刷動作の間、累積電力損失が加算され、この例の場合、印刷完了の時点Ｔ５０３では、まだ累積電力損失が冷却不要判断値である０より大きいために、電源ファン２０５（図２）の回転は続いている。電源ファン２０５（図２）の回転で放熱されることによって、いずれ累積電力損失が冷却不要判断値である０に到達する。累積電力損失が冷却不要判断値である０になったタイミングＴ５０４で電源ファン２０５（図２）を停止する。電源ファン２０５（図２）は印刷起動からΔＴ５１６の期間回転していたことになる。
【００３４】
以上説明したように、電力交換効率と各負荷の消費電力及び電源ファン２０５の単位時間当りの放熱量のテーブルを記憶部３０３に予め持たせ、累積電力損失を演算していくことにより、専用のセンサ等を設けずに電源の放熱を達成した上で電源ファン２０５の駆動時間を最小限に抑える事ができる為、印刷完了後の電源ファン２０５の騒音を最小限に抑える事ができるという効果を得る。すなわち、過剰冷却があった場合起こりうる不必要なファン駆動が原因の騒音を短時間にでき、一方、冷却不足があった場合、電源内部が昇温するために、回路素子が誤動作あるいは破棄に至る可能性を防止できる。また、本実施例では電源ファン２０５の停止条件を累積電力損失０と規定したが、電源内部温度の昇温が許容される範囲内で値を大きくしておくことにより、電源ファン２０５の停止条件を微調整することも出来るという効果を得る。
【実施例２】
【００３５】
図６は、実施例２の制御回路図である。
図に示すように本実施例の画像形成装置８０１は、実施例１の画像形成装置１０１（図２）に対して、ファンドライバ２１８（図２）がファンドライバ６０２に変更され、エンジン制御部６０１からのファン駆動信号Ｓ６０３及びファン速度切替信号Ｓ６０４が追加された。ファンドライバ６０２は速度切替え信号Ｓ６０４の論理に応じて、出力電圧が２段階に切替わるものである。以下、高い回転速度を全速度、低い回転速度を半速度と呼ぶことにする。電圧の切替え手段としては、例えばツェナーダイオードの電圧降下を利用する方法がある。
【００３６】
図７は、実施例２のエンジン制御部の内部ブロック図である。
この図を用いて、上記エンジン制御部６０１の詳細について再度説明する。
エンジン制御部６０１は、図示しないＲＯＭに予め格納されている制御プログラムを、図示しないＣＰＵが実行することによって、駆動信号生成部７０４と、時間設定部３０２と、演算部３０４と、積算値記録部３０５と、ファン駆動信号生成部３０６とを起動・生成し、画像形成装置１０１の適切な放熱を達成するためのコンピュータ制御手段である。以下に実施例１との相違部分のみについて詳細に説明する。実施例１と同様の部分については、実施例１と同一の符号を付して説明を省略する。
【００３７】
駆動信号生成部７０４は、上記の各負荷をオンするかオフするかの指令となる負荷駆動信号を出力する部分である。各負荷駆動信号は記憶部７０１と接続されており、記憶部７０１は時間設定部３０２からの予め設定された単位時間１００ｍｓ間隔で負荷駆動信号がオンかどうかを判定し、負荷駆動信号がオンであった場合、予め記憶されたテーブルに示されたテーブルから値を読み出す部分である。このテーブルは３つある。以下にこの３つのテーブルについて説明する。
【００３８】
図８は、実施例２の記憶部のテーブル説明図である。
図に示すように、記憶部７０１（図７）にはテーブルが３つ、予め格納されている。テーブル（１）と、テーブル（２）は実施例１と同様である。テーブル（４）は電源ファン２０５（図６）の単位時間あたりの放熱量を記録しており、全速度における３０Ｗと半速度における１５Ｗの２つを持つ。
【００３９】
図７に戻って、記録部７０１から読み出されたテーブル値、及び時間設定部３０２の単位時間１００ｍｓを演算部３０４に入力し、演算部３０４はテーブル値と単位時間１００ｍｓの積をとり電力損失を求め、積算値記録部３０５に出力する。積算値記録部３０５では演算部３０４から入力された電力損失からファンの放熱量を減算していき、累積電力損失として記録しておく。累積電力損失の値が冷却不要判断値である０となった場合、積算値記録部３０５からファン駆動信号生成部３０６へファン駆動信号停止指令が出され、それに応じてファン駆動信号生成部３０６よりファン駆動信号Ｓ６０３が停止する。一方、印刷完了時においては、駆動信号生成部７０４よりが出力される。
【００４０】
記憶部７０１にはファン速度切替信号Ｓ６０４が接続されており、ファン速度切替信号Ｓ６０４が半速度オンの論理であって、且つ、ファン駆動信号Ｓ６０３がオンのときにおいては電源ファン２０５が半速度で回転しているという判断を行い、演算部３０４へ電源ファン２０５の単位時間当たりの放熱量１５Ｗを出力する。
他の構成は実施例１と同じである。
【００４１】
以上説明した本実施例による画像形成装置８０１の放熱制御動作について、電源ファン２０５（図６）の停止タイミングチャートに基づいて説明する。
図９は、実施例２の電源ファンの停止タイミングチャートである。
この図は、印刷起動から電源ファン２０５（図６）の停止までの間の各負荷の動作と積算値記録部３０５（図７）の累積電力損失とを示している。
【００４２】
図の縦軸方向に上から順番に、ハロゲンランプ１１６のオン・オフ波形、ホッピングモータドライバ２２０のオン・オフ波形、画像形成ユニットモータ２０８のオン・オフ波形、ベルトモータドライバ２１９のオン・オフ波形、定着モータ２０６のオン・オフ波形、ＬＥＤヘッドドライバ２２１のオン・オフ波形、高圧生成部２１７のオン・オフ波形、ファンドライバ６０２のオン・オフ波形、累積電力損失の大きさ、及び各項目の横軸に共通の時刻（Ｔ）を表している。ここで、全ての波形は、ハイレベルをオンとし、ローレベルをオフとする。
【００４３】
印刷起動時Ｔ９０１から印刷完了Ｔ９０３までの各負担の動作は実施例１と同じである。実施例１と異なる部分は電源ファン２０５（図６）の動作のみである。電源ファン２０５（図６）は印刷起動時Ｔ９０１に全速度で回転する。そして、印刷完了時Ｔ９０３にファン速度切替信号Ｓ６０４（図６）によって半速度に切り替えられる。これにより、電源ファン２０５（図６）の騒音を低下することができる。一方、電源ファン２０５（図６）の単位時間当たりの放熱量が３０Ｗから１５Ｗへ低下するために、実施例１と比較して、電源ファン２０５（図６）が停止するまでの期間が延長することになる。電源ファン２０５（図６）は印刷起動時Ｔ９０１から印刷完了時Ｔ９０３までのΔＴ９０５の間、全速度で回転する。また、印刷完了時Ｔ９０３からファン停止時Ｔ９０４までのΔＴ９０６の間、半速度で回転することになる。
【００４４】
以上説明したように、本実施例では、電源ファン２０５（図６）の速度を２段階に可変にし、印刷完了に応じて各モータの駆動音が停止してしまうために、電源ファンの騒音が際立つのに対して、印刷完了時に電源ファン２０５（図６）を半速度に低下することにより、電源の放熱を達成した上で同時に電源ファンの騒音を低減することが可能になるという効果を得る。
【産業上の利用可能性】
【００４５】
上記実施例の説明では、本発明を、画像形成装置に適用した場合に限定して説明したが、本発明はこの例に限定されるものでは無い。即ち、電源装置と冷却装置を持つ情報処理装置、例えば、ＰＣ、ファクシミリ装置等に対しても適用可能である。
【図面の簡単な説明】
【００４６】
【図１】本発明による画像形成装置の構成図である。
【図２】実施例1の制御回路図である。
【図３】実施例１のエンジン制御部の内部ブロック図である。
【図４】実施例１の記憶部のテーブル説明図である。
【図５】実施例１の電源ファンの停止タイミングチャートである。
【図６】実施例２の制御回路図である。
【図７】実施例２のエンジン制御部の内部ブロック図である。
【図８】実施例２の記憶部のテーブル説明図である。
【図９】実施例２の電源ファンの停止タイミングチャートである。
【符号の説明】
【００４７】
２１０    エンジン制御部
３０１    駆動信号生成部
３０２    時間設定部
３０３    記憶部
３０４    演算部
３０５    積算値記録部
３０６    ファン駆動信号生成部
Ｓ２２２    負荷駆動信号
Ｓ２２３    負荷駆動信号
Ｓ２２４    負荷駆動信号
Ｓ２２５    負荷駆動信号
Ｓ２２６    負荷駆動信号
Ｓ２２７    負荷駆動信号
Ｓ２２８    負荷駆動信号
Ｓ２２９    ファン駆動信号
【図１】
2008059365.tif 000003
【図２】
2008059365.tif 000004
【図３】
2008059365.tif 000005
【図４】
2008059365.tif 000006
【図５】
2008059365.tif 000007
【図６】
2008059365.tif 000008
【図７】
2008059365.tif 000009
【図８】
2008059365.tif 000010
【図９】
2008059365.tif 000011